(57)【要約】      （修正有）【課題】簡単に作製し得る構成であって、一定の強度を有する商品見本保持具を提供する。【解決手段】商品陳列棚の先端に保持して使用する商品見本保持具で、商品見本を入れる容器と、容器と一体に接続された保持部分とよりなり、保持部分が端面４角形状の筒状部分と、筒状部分の１側面より下方に伸びる引っ掛け部分とよりなり、引っ掛け部分を商品陳列棚の先端部分に掛けて用いるもので、容器および保持部分のすべてが紙にて形成されている。【選択図】図１
0003159536.tif 000002
【実用新案登録請求の範囲】
【請求項１】
商品陳列棚の先端に保持して使用する商品見本保持具で、商品見本を入れる容器と、前記容器と一体に接続された保持部分とよりなり、前記保持部分が端面４角形状の筒状部分と、前記筒状部分の１側面より下方に伸びる引っ掛け部分とよりなり、前記引っ掛け部分を商品陳列棚の先端部分に掛けて用いるもので、容器および保持部分のすべてが紙にて形成されている商品見本保持具。
【請求項２】
前記引っ掛け片がたたまれ２重に重ね合わせた請求項１の商品見本保持具。
【請求項３】
前記筒状部分の少なくとも１側面が２重に重ね合わされたことを特徴とする請求項１又は請求項２の商品見本保持具。
【請求項４】
前記保持部材が１枚の紙を順次折り曲げることにより形成した請求項１、２又は３の商品見本保持具。
【考案の詳細な説明】
【技術分野】
【０００１】
本考案は商品見本保持用具で、商品販売時に商品陳列棚上に商品を陳列する際に商品陳列棚先端部分に設置して、商品見本や商品情報を記載した印刷物等を保持するためのものである。
【背景技術】
【０００２】
従来の商品見本保持用具は、商品見本等を置くための容器とこれを商品陳列棚の先端部分に保持し設置するための引っ掛け部とよりなり、それらが合成樹脂にて一体に形成されたものが一般的である。又一部に容器部分が合成樹脂よりなり、この容器に金属製の引っ掛け部を取り付けた構成のものも知られている。
【０００３】
これら従来の商品見本保持用具は、高価であり又不要となった時の廃棄にも問題がある。
【０００４】
そのため、この種の商品見本保持用具を厚紙にて形成することが考えられるが、複雑な形状のものを厚紙にて作成することは困難な作業になる。
【先行技術文献】
【特許文献】
【０００５】
【特許文献１】特開平  号
【考案の概要】
【考案が解決しようとする課題】
【０００６】
本考案は、厚紙にて作成するもので、１枚の厚紙を折り曲げることにより簡単に作成し得る構成であって、しかも一定の強度を有するようにした商品見本保持用具を提供するものである。
【課題を解決するための手段】
【０００７】
本考案の商品見本保持用具は、端面が正方形又は長方形の４角形状をなす筒状部分と、この筒状部分の１側面より下方に伸びる紙片を背面とする商品見本等を挿入する容器と、筒状部分の容器の背面を形成する紙片とは反対側の側面より下方に伸びる引っ掛け片とをすべて厚紙にて構成したもので、筒状部分より下方に伸びる容器の背面部分を形成する紙片と引っ掛け片との間に商品陳列棚の先端の商品落下防止用板等を挿入して商品陳列棚先端部分に引っ掛け片を掛けて保持するようにした。
【０００８】
このように、本考案の商品見本保持用具は商品陳列棚の先端部分に掛けた上で容器内に商品見本又は商品情報を印刷した印刷物あるいはその両方を挿入保持して使用する。
【０００９】
これにより、商品を購入するものが、商品見本や印刷物によりその商品を確認した上で商品陳列棚に置かれた商品を購入するようにしたものである。
【００１０】
この本考案の商品見本保持用具は、後に示す各実施例に示すように１枚の厚紙を折り返し線に沿って折り曲げることにより形成し得る。
【００１１】
特に本考案は引っ掛け片を有する保持部分に特徴を有するもので、この保持部分に端面が４角形状の筒状部分を有することにより、紙にて形成されているにも拘らず全体として比較的強度を有し、この筒状部分の一側面より伸びる部分が容器の背面となるようにして、商品を置いた時にも十分な強度を有する。
【００１２】
又、容器は後に述べる実施例のように各種形状の容器が１枚の連続した厚紙により形成し得るもので、見本の形状にあった容器を形成し得る。
【考案の効果】
【００１３】
本考案の商品見本保持用具は、厚紙を単に折り込むのみで作成でき、しかも商品陳列棚の商品落下防止板または商品落下防止網等への取り付け保持部分が十分な強度を有する等の効果が得られる。
【図面の簡単な説明】
【００１４】
【図１】本考案の実施例１の斜視図
【図２】図１における一部拡大図
【図３】本考案の実施例１の組み立て前の厚紙の平面図
【図４】本考案の実施例２の斜視図
【図５】図４における一部拡大図
【図６】本考案の実施例２の組み立て前の厚紙の平面図
【図７】本考案の実施例３の斜視図
【図８】本考案の実施例３の組み立て前の厚紙の平面図
【図９】本考案の実施例４の斜視図
【図１０】本考案の実施例４の組み立て前の厚紙の平面図
【図１１】本考案の実施例５の斜視図
【図１２】本考案の実施例５の組み立て前の厚紙の平面図
【図１３】本考案の実施例６の斜視図
【図１４】本考案の実施例７の斜視図
【考案を実施するための形態】
【００１５】
次に本考案の商品見本保持用具の実施の形態を図面にもとづいて説明する。
【実施例１】
【００１６】
本考案の商品見本保持用具の実施例１は、図１、図２、図３に示す通りで、これら図のうち、図１はその斜視図、図２は図１におけるＡにて示す部分の拡大図、図３は組立て前の平面図である。尚、これら図に示すものは、素材が厚紙である。
【００１７】
次に、この実施例１の紙製商品見本保持用具の作成方法について述べる。
【００１８】
図３に示す形状の組立て前の紙製品において、１、２、３、・・・は、組立て後の各部を形成する紙片で、１ａ、２ａ、３ａ、・・・は折り返し線である。つまり、図３に示す紙製品を折り返し線１ａ、２ａ、３ａ、・・・に沿って、夫々図３の紙面前方にまたは紙面後方に順次折り曲げることにより、図１に示す実施例１の紙製商品見本保持用具を組み立てる。
【００１９】
具体的には、まず紙片１を紙片１１に対し折り返し線１ａに沿って紙面裏側にほぼ直角に折り曲げ、次に紙片２を紙片１に対し折り返し線２ａに沿って同様に紙面裏側に直角に折り曲げ、紙片３を紙片２に対し折り返し線３ａに沿って、紙面裏側に完全に折り返して紙片２と紙片３とが互いに重なり合うようにし、次に、紙片４を紙片３に対し折り返し線４ａに沿って、これまでとは反対につまり、紙面に対し前方（表側）へ直角に折り返し、紙片５を紙片４に対して折り返し線５ａに沿って紙面裏側へ直角に折り曲げ、必要に応じ接合して保持部分を形成する。尚、紙片４の幅は、紙片１の幅とほぼ同一の幅にしてあり、両紙片２と３は互いにほぼ完全に重なり合うようにしてある。同様に各紙片の幅は、図１（図２）に示す形状になるように定められている。
【００２０】
以上のように、図３に示す紙製品を上記のように順次折り返すことにより、図１（図２）に示す本考案の実施例１の紙製商品見本保持用具のうちの保持部分９を形成し得る。
【００２１】
次に実施例１の商品見本保持用具の商品見本等を入れる容器の組み立てについて述べる。
【００２２】
この実施例１は容器をリーフレットケースとして用いるものである。
【００２３】
紙片１１、１２、・・・よりなるリーフレットケース１０は、図３において背面を形成する紙片１１に対し、紙片１２、１３、１４を紙面前方へ折り曲げ、紙片１２、１３、１４に対し、紙片１５、１６、１７を前方へ折り曲げ、一方紙片１１に対し紙片１８、１９を夫々前方へ折り曲げ、更に紙片１１に対して紙片１２、１３、・・・を前方へ折り曲げ、紙片１３と紙片１９とを接合し容器１０の側面と底面とを形成することによりリーフレットケースを形成する。
【００２４】
このようにして組み立て形成されたリーフレットケースは、その背面の保持部分９の引っ掛け片（２、３）を利用して、商品陳列棚先端部に設けられた商品落下防止用の板又は網が背面１１と引っ掛け片（２、３）の間に位置するようにして、引っ掛け片（２、３）を商品陳列棚の先端に引っ掛ける。そしてケース１０内にリーフレット等を挿入して使用する。
【実施例２】
【００２５】
本考案の商品見本保持用具の実施例２は、図４、図５、図６に示す通りで、図１、２、３、と同様図４は組み立てた状態の斜視図、図５は一部の拡大図、図６は組み立て前の厚紙の平面図である。
【００２６】
この実施例２もリーフレットケースとして用いる例であって、保持部分が実施例１と相違し、容器（リーフレットケース）は実施例１と同一形状である。
【００２７】
この実施例２において、図６の平面図に示す形状の紙製品（厚紙）を、実施例１と同様に各紙片１、２、３、・・・を折り返し線１ａ、２ａ、３ａ、・・・に沿って折り曲げることにより組み立てる。
【００２８】
そして、組み立てた形状は、実施例１と同一形状である。しかし、紙片２と紙片３がほぼ等しい大きさで、両紙片２、３が全体に重なっており又紙片４が拡大図（図５）より明らかなように上方に位置する紙片１と重なった形状で、この部分が２重構造になっており、これにより実施例１よりも筒状部分の強度が大である。それに伴い商品見本保持用具全体の強度も実施例１よりも大である。
【００２９】
つまり、実施例１は軽量であり、一方、実施例２は重量は大になるが強度が大である点で両者は相違する。
【実施例３】
【００３０】
実施例３は、円筒状の商品見本を商品陳列棚先端部分に取り付け使用する商品見本保持用具に関するもので、紙製であって商品見本受け（容器）が円筒状をした例である。又、保持部分は実施例２と実質上同一の構成である。
【００３１】
この実施例３は、図７、図８に示す通りで、図７は組み立てた状態の斜視図、図８は組み立て前の平面図である。
【００３２】
これら図において、１、２、３、・・・は保持部分の各部分を形成する紙片で、図８における１ａ、２ａ、３ａ、・・・は折り返し線である。又、２１、２２、２３、２４は、円筒状の容器形成する各紙片で、２１ａ、２２ａ、２３ａ、２４ａは折り返し片である。
【００３３】
この実施例３において保持部分は、実施例１と同一形状であって、図７の９にて示す部分を実施例１の説明と同様にその折り返し線に沿って順次折り曲げることにより実施例１と同様の保持部が形成される。
【００３４】
一方、円筒状の容器２０は、折り返し線２１ａに沿って紙片２１を図面前方に折り曲げ、紙片２１を前方に湾曲させて曲面状の側面を形成し、紙片２２、２３を夫々曲線状の折り返し線２２ａ、２３ａに沿って前方に折り曲げ、紙片２２と紙片２３を重ねた上で接合し、紙片２５を紙片２４に重ね接合することにより、図７に示すように組み合わせて形成する。
【００３５】
このように形成された図７に示す紙製の実施例３の商品見本保持用具は、実施例１と同様の形状の保持部分を用いて商品陳列棚の先端部分の商品落下防止用板等に掛けて保持し、円筒状容器２０に見本の入った円筒状びん等の商品見本を置いて使用する。
【００３６】
この図７に示す実施例は、保持部分が実施例１にて用いたものと実質上同一構成のものであるが、実施例２の保持部分と同一構成の保持部分としてもよい。
【実施例４】
【００３７】
本考案の商品見本保持用具の実施例４は、商品見本を入れる容器が楕円筒状をした実施例である。
【００３８】
この実施例４は、図９、図１０に示す通りの構成で、紙にて形成されている。
【００３９】
これら図のうち、図９は組み立てられた状態の斜視図、図１０は組み立てる前の厚紙の平面図である。つまり図１０は図９の展開図である。
【００４０】
又、この実施例４の保持部分９は、実施例２に示すものと実質上同一構成である。したがって、この保持部は、実施例２にて述べたと同一の手段にて紙片１、２、３、・・・を折り返し線１ａ、２ａ、３ａ、・・・にて折り曲げることにより作成し得る。
【００４１】
一方、商品見本等を入れる容器は、図９に示すような形状であって、保持部分９に連接した背面部を形成する紙片３１と、これと紙片３４を介して接続されている底面を形成する楕円形の紙片３２と、この紙片３２に紙片３５を介して接続されている側面を形成する紙片３３とよりなる。
【００４２】
この容器３０は、折り返し線３４ａにより紙片３４を前方に折り返して紙片３１に重ね、更に楕円状の紙片３２を反対側に折り曲げて紙片３１に直角方向に折り、紙片３５を上方直角に折り曲げ、側面を形成する紙片３３を紙片３２の楕円の辺を囲むように湾曲させた上で紙片３３の両端の部分３６、３７を接合することにより、図９に示すような形状の商品見本保持用具を形成する。
【００４３】
以上述べたように、本考案の実施例４も１枚の厚紙を折り曲げることにより、組み立て作成することができる。
【００４４】
この実施例４は、保持部分９として、実施例２にて示す構成のものを使用しているが、実施例１にて示すものでもよい。
【実施例５】
【００４５】
本考案の商品見本保持用具の実施例５は、図１１に示すように商品見本等を入れる容器が４角形状をした例である。
【００４６】
この実施例５は、図１１、図１２に示す通りの構成で、図１１は組み立てた状態の斜視図、図１２は組み立てる前の厚紙の平面図（展開図）である。
【００４７】
この実施例５の保持部分９は実施例２に示す構成と実質上同じで、その組み立て手段は、実施例２にて述べたと同じである。
【００４８】
又、容器４０は、図１１に示すように４角形状で紙片４１、４３、４４等にて形成されている。
【００４９】
この容器４０は、図１２に示す厚紙の符号４０の部分を折り曲げて形成する。具体的には、容器４０の背面を形成する紙片４１に対し、紙片４２を折り返し線４１ａに沿って折りたたんで重ね合わせ、紙片４２に対し容器４０の底面を形成する紙片４３を直角に折り曲げ、紙片４３に対し紙片４９を前方に折り曲げ、紙片４９に対し容器４０の側面を形成する紙片４４、４５、４６を折り返し線４５ａに沿って紙面上方に直角に折り曲げ、紙片４９と紙片４５とを重ね合わせ、紙片４５に対し紙片４４、４６を、紙片４５に対し、紙片４７を紙片４４に対し、紙片４７を紙片４６に対し夫々折り返し線４４ａ、４６ａに沿って前方に直角に折り曲げ、紙片４７と紙片４８とを接合することにより図１１に示す容器４０が形成される。
【００５０】
以上のように、実施例５の商品見本保持用具が形成される。
【００５１】
このようにして作成した実施例５の商品見本保持用具は、他の実施例と同様に、保持部分９を利用して商品陳列棚の先端部分に商品落下防止板等に掛けて商品陳列棚の先端に置かれる。その上で容器４０に商品見本等を入れ使用する。
【００５２】
この実施例５は、容器４０が４角形状であり、４角形状のびん等を置くのに適した実施例である。
【００５３】
尚、この実施例５は、保持部分９として実施例２にて示す保持部分を採用した例であるが、保持部分として実施例１を用いてもよい。
【００５４】
以上述べた本考案の各実施例は、いずれも実施例１又は実施例２にて用いられている保持部分９を備えていることが特徴であり、これら保持部分を有することにより厚紙にて作成されているにも拘らず、十分な強度を保持し得る。それは保持部分に端面が４角形状の筒状部分を有することによりこの保持部分の強度を保ち得ると共に商品見本保持用具全体の強度を保持することができる。しかも、１枚の厚紙を折りたたみ、又一部接合するのみで、本考案の商品見本保持用具を組み立て形成し得る。
【００５５】
以上述べた実施例は、商品見本等を入れて使用するものであるが、陳列棚に置かれた商品に関する情報を表示するために用いることも可能である。
【００５６】
このように商品情報の表示のみを目的とする場合の構成として、図１３、図１４に示す実施例が考えられる。
【００５７】
これら実施例は、いずれも実施例１又は実施例２に示す保持部分９の筒状部分の上側側面から斜め前方に伸びる表示面５０又は６０を有する形状で、この表示面に商品情報等を印刷した印刷物を貼り付け又は保持して用いる。これら実施例のうち、実施例６（図１３）は表示面が平面のもの、実施例７（図１４）は表示面が凸面の例である。
【産業上の利用可能性】
【００５８】
本考案の商品見本保持用具は商品陳列棚の先端に取り付け使用するもので、商品陳列棚上の商品の見本を容器に入れ、商品を購入する者が商品を確認した上で、商品陳列棚上の商品を取り出して購入するために用いられる。
【符号の説明】
【００５９】
１、２、３、４、５、６、７        紙片
９                                保持部分
１０、２０、３０、４０            商品見本等を置く容器
５０、６０                        商品情報の等の表示面
【図１】
0003159536.tif 000003
【図２】
0003159536.tif 000004
【図３】
0003159536.tif 000005
【図４】
0003159536.tif 000006
【図５】
0003159536.tif 000007
【図６】
0003159536.tif 000008
【図７】
0003159536.tif 000009
【図８】
0003159536.tif 000010
【図９】
0003159536.tif 000011
【図１０】
0003159536.tif 000012
【図１１】
0003159536.tif 000013
【図１２】
0003159536.tif 000014
【図１３】
0003159536.tif 000015
【図１４】
0003159536.tif 000016
【手続補正書】
【提出日】平成22年3月17日(2010.3.17)
【手続補正１】
【補正対象書類名】実用新案登録請求の範囲
【補正対象項目名】全文
【補正方法】変更
【補正の内容】
【実用新案登録請求の範囲】
【請求項１】
商品陳列棚の先端に保持して使用する商品見本保持具で、商品見本を入れる容器と、前記容器と一体に接続された保持部分とよりなり、前記保持部分が端面４角形状の筒状部分と、前記筒状部分の１側面より下方に伸びる引っ掛け部分とよりなり、前記引っ掛け部分を商品陳列棚の先端部分に掛けて用いるもので、容器および保持部分のすべてが紙にて形成されている商品見本保持具。
【請求項２】
前記引っ掛け部分がたたまれ２重に重ね合わせた請求項１の商品見本保持具。
【請求項３】
前記筒状部分の少なくとも１側面が２重に重ね合わされたことを特徴とする請求項１又は請求項２の商品見本保持具。
【請求項４】
前記保持部分が１枚の紙を順次折り曲げることにより形成した請求項１、２又は３の商品見本保持具。